(57)【要約】【課題】吸音効果が大きい吸音装置を提案する。【解決手段】反射筒体でなる長尺な断面多面体でなる防音部材１０を長尺部分が横方向又は縦方向に延長するように、連接させた防音壁１０Ｘを構成し、反射開口１２から導入した騒音成分ａを防音部材１０内の内部空間を含む防音部材１０の騒音源側において干渉させると共に、反射開口１２位置に設けた吸音部材３０によって吸音させることにより、騒音成分を効率よく低減させることができる。【選択図】図２
2018066787.tif 000002
【特許請求の範囲】
【請求項１】
長尺な断面多面体でなる反射筒体で構成された防音部材を、長尺部分が横方向又は縦方向に延長するように、連接させた防音壁を有し、
上記防音部材は反射板を幅方向に曲折させることにより反射した騒音成分を内部空間に導入する反射開口を形成すると共に、上記反射開口から導入した騒音成分を上記反射筒体によって反射させて当該反射音の一部を上記内部空間内に集束させるようになされ、
上記内部空間に筒状の吸音部材を上記長尺部分の方向に延長させるように設けることにより、当該吸音部材によって上記反射開口から導入した騒音成分及び上記反射筒体から反射させた騒音成分を吸音させる
ことを特徴とする防音装置。
【請求項２】
上記吸音部材は、上記内部空間に導入ないし反射させた上記騒音成分を吸音する
ことを特徴とする請求項１に記載の防音装置。
【請求項３】
隣合う上記反射筒体の上端縁外部空間及び下端縁外部空間を通る上記騒音成分を互いに干渉させることにより音量を低減させるようにする
ことを特徴とする請求項１に記載の防音装置。
【請求項４】
上記吸音部材は、上記反射開口の前面部分の上記騒音成分の音量を低減させることにより音量低減範囲を拡大させる
ことを特徴とする請求項１に記載の防音装置。
【請求項５】
上記吸音部材は、上記各防音部材の上記上端縁空間及び下端縁空間の音量低減範囲を拡大させる  
ことを特徴とする請求項３に記載の防音装置。
【発明の詳細な説明】
【技術分野】
【０００１】
本発明は防音装置に関し、特に防音壁について防音効果を向上させようとするものである。
【背景技術】
【０００２】
従来、道路や線路などについて、騒音源である車両や電車などから発生される騒音を防止する装置が特許文献１において提案されている。
【先行技術文献】
【特許文献】
【０００３】
【特許文献１】特許第４８４２９５０号公報
【発明の概要】
【発明が解決しようとする課題】
【０００４】
この従来技術は、防音効果を得る防音素材として、グラスウールやロックウール等の吸音材を用いずに、金属板や合成樹脂板などの板材を用い、当該板材によって多面構造を構築し、この多面構造に騒音を形成する騒音成分を集めることにより騒音成分相互の干渉による打消し効果を生じさせることを原理とするもので、高い防音効果を得ることが期待される。
【０００５】
本発明はかかる点を考慮してなされたもので、集めた騒音成分の減音作用をさらに一段と向上させようとするものである。
【課題を解決するための手段】
【０００６】
かかる課題を解決するため本発明においては、長尺な断面多面体でなる反射板筒体１１で構成された防音部材１０を上下方向及び左右方向又は上下方向あるいは左右方向に連接させた防音壁１０Ｘを有し、防音部材１０は反射板を幅方向に曲折させることにより反射した騒音成分ａを内部空間に導入する反射開口１２を形成すると共に、反射開口１２から導入した騒音成分ａを反射筒体によって反射させて当該反射音の一部を内部空間内に集束させるようになされ、内部空間に筒状の吸音部材３０を長尺方向に延長させるように設けることにより、当該吸音部材３０によって反射開口１２から導入した騒音成分ａ及び反射板から反射させた騒音成分ａを吸音させるようにする。
【発明の効果】
【０００７】
本発明によれば、反射筒体でなる長尺な断面多面体でなる防音部材を上下方向及び左右方向又は上下方向あるいは左右方向に連接させた防音壁を構成し、反射開口から導入した騒音成分を防音部材内の内部空間を含む防音部材の騒音源の近傍において音波を干渉させると共に、反射開口位置に設けた吸音部材によって吸音させることにより、騒音成分を効率よく低減させることができる。
【図面の簡単な説明】
【０００８】
【図１】本発明による防音装置の一実施の形態を示す正面図である。
【図２】防音部材の詳細構成を示す略線的斜視図である。
【図３】防音部材の支柱への取り付け構造の説明に供する略線的断面図である。
【図４】吸音部材を設けた防音部材の説明に供する略線的断面図である。
【図５】（Ａ）及び（Ｂ）は吸音部材を示す断面図及び側断面図である。
【図６】（Ａ）及び（Ｂ）は吸音部材の他の実施の形態を示す断面図及び側断面図である。
【図７】他の実施の形態を示す正面図である。
【発明を実施するための形態】
【０００９】
以下図面について、本発明の一実施の形態を詳述する。
【００１０】
（１）第１の実施の形態
図１は第１の実施の形態の防音装置１を示し、横一列に並べるように、地面２に埋設された多数の支持具３から上方に突出する支柱４（Ｈ型鋼本体４Ａでなる）のフランジ４Ｂ１及び４Ｂ２間に両端を嵌め込んだ防音部材１０を、複数段例えば１０段分、地面２から積み並べることにより、防音壁１０Ｘを形成している。
【００１１】
各防音部材１０は、図２に示すように、アルミニウム材質の１枚の長尺な反射板を、幅方向に６枚の曲折板部１１Ａ〜１１Ｆを形成するように、内側に所定の曲折角度で半筒形状に曲げ折り加工し、これにより内側に長尺な反射開口１２を有する断面多面体（例えば６面体）構造の反射筒体１１を構成している。
【００１２】
この実施の形態の場合、内側の曲折板部１１Ｂ及び１１Ｃ内、１１Ｃ及び１１Ｄ間並びに１１Ｄ及び１１Ｅ間の曲折角度θ１は１４２±１［°］に選定されることにより、騒音成分の干渉効果を高めるようになされていると共に、両端側の曲折板部１１Ａ及び１１Ｂ間、並びに１１Ｅ及び１１Ｆ間の角度θ２及びθ３については、曲折板部１１Ａ並びに１１Ｆを水平方向に延長させることにより、隣合う反射筒体１１が互いに隙間をもたないように、接合できるようになされている。
【００１３】
防音部材１０は、図３に示すように、反射筒体１１の両端部１０Ａ及び１０ＢをＨ型鋼本体４Ａの一方のフランジ４Ｂ２に設けられた取付具４Ｃに、隣合う防音部材１０の端部と一緒に固定されると共に、貫通抑えひも４Ｄによって上下に連接する反射筒体１１でなる防音部材１０を支柱４に一連に保持し、これにより隣合う防音部材１０の反射開口１２を到来する騒音２５の方向に設けた状態で、隣合う支柱４間に取り付けられる。
【００１４】
かくして防音部材１０は長尺部分が横方向に延長するように上下方向に連接され、これにより、反射開口１２に対して騒音源が存在する外側から騒音２５が到来したとき、矢印ａで示すように、騒音成分ａを反射筒体１１内に導入して、反射筒体１１の曲折板部１１Ａ〜１１Ｆによって反射開口１２の方向に反射させるようになされている。
【００１５】
ここで騒音２５の各騒音成分ａは、いろいろな方向から反射開口１２を通って反射筒体１１内に導入され、曲折板部１１Ａ〜１１Ｆの方向に直進して当該曲折板部１１Ａ〜１１Ｆに当ったとき、曲折板部１１Ａ〜１１Ｆの形成傾斜に応じた反射方向に反射して内部空間の中央部に集束し、これにより各騒音成分ａが互いに干渉し合って音量が低減する。
【００１６】
この結果、防音部材１０に向かって伝達して来た騒音２５の各騒音成分ａの音の大きさは、全体として防音部材１０の６面体構造の反射筒体１１の内部空間を含む騒音源側において低減され、これにより防音部材１０が全体として、防音壁１０Ｘを形成する。
【００１７】
防音装置１は、図２及び図３の構成に加えて、図４に示すように、断面６面体構造の反射筒体１１でなる防音部材１０の反射開口１２の位置に、これを閉塞するように吸音部材３０を配設し、これを支持部材３１Ａ及び３１Ｂによって断面６面体構造の反射筒体１１の内部空間に固着する。
【００１８】
この実施の形態の場合、吸音部材３０は、図５に示すように、断面が楕円形状の筒体により構成され、これにより騒音成分ａが筒体部分を透過するごとにその音の強さを一段と軽減できるように構成されている。
【００１９】
実験によれば、騒音成分が吸音部材３０を透過するとき、騒音成分は互いに対向する一方の板厚部分に外側方向から入射したとき、当該一方の板厚部分を透過した後必ず一旦空間部分に抜け出し、続いて対向する他方の板厚部分を透過して内側方向に出射することになり、その結果音の吸音効果が高くなることが確認できた。
【００２０】
かくして反射開口１２を通って騒音２５が防音部材１０に伝達して来て、その騒音成分ａが断面楕円筒形状の吸音部材３０を透過しながら曲折板部１１Ａ〜１１Ｆに到達したとき、当該到達した騒音成分ａが曲折板部１１Ａ〜１１Ｆの表面において反射して再度吸音部材３０を透過するようになされている。
【００２１】
このとき曲折板部１１Ａ〜１１Ｆで反射した騒音成分ａは図２について上述したように、反射開口１２の方向に集束するように反射して来るので、騒音成分ａは確実に吸音部材３０を少なくとも２回は透過することになることにより、騒音成分ａの音の強さは十分に低減される。
【００２２】
ここで、吸音部材３０は、その反射開口１２に対向する外側面が、反射開口１２の上及び下端面を通る仮想線Ｌ１に接するような位置に位置決めされる。
【００２３】
実験によれば、吸音部材３０を当該位置に位置決めしたとき、騒音成分ａに対する低減効果が大きいことが確認できた。  
【００２４】
以上の構成によれば、断面６面体構造の反射筒体１１それ自身はアルミニウム材質の板材で構成されているので、騒音成分ａが入射すれば各曲折板部１１Ａ〜１１Ｆの表面の傾斜角度に応じた方向に反射されることにより、反射開口１２の位置に集束することによって互いに干渉し合う結果音の強さが低減する。
【００２５】
このように防音部材１０が特有の断面６面体構造を持っていることにより騒音成分ａが干渉により低減されることに加えて、内部空間の反射開口１２の位置に設けられた吸音部材３０を騒音成分ａが透過したとき当該吸音部材３０を通過するごとに吸音されるので、曲折板部１１Ａ〜１１Ｆにおいて反射した騒音成分ａの音の強さは十分に低減される。
【００２６】
かくして長尺方向に延長する吸音部材１０が上下方向に連接するように支柱４によって保持された防音壁１０Ｘは、防音部材１０の反射開口１２から到来する騒音２５の騒音成分ａを十分に吸音できることにより、防音壁１０Ｘに向かって到来する騒音２５を地面２から支柱４の高さの範囲に渡って十分に防音できる防音壁１０Ｘを構築できる。
【００２７】
実験によれば、断面６面体構造の防音部材１０を用いる際に、反射筒体１１の上端及び下端の曲折板部１１Ａ及び１１Ｆを水平方向に延長するように構成すれば、吸音部材３０を上下方向に連接することにより境目の吸音作用を十分大きくできる。
【００２８】
また、実験によれば、断面６面体構造の反射筒体１１単体について、上端の曲折板部１１Ａ及び下端の曲折板部１１Ｆの外側位置において騒音成分ａの干渉に基づく吸音効果が得られ、これにより隣接する各反射筒体１１の境目近傍の領域について騒音２５の音の強さが低減することによって、騒音効果が一段と向上することにより、騒音の音の強さを有効に軽減できるような防音壁１０Ｘを実現できる。
【００２９】
このような構成に加えて、断面６面体構造の内部に筒状形状の吸音部材３０を設けたことにより、断面６面体構造の反射筒体１１内部の騒音音量を格段的に大きく減音させることができると共に、上端部及び下端部における干渉による減音領域が広がると共に、反射開口１２の前面側の外部空間の騒音音量を一段と減少させることができ、これにより防音壁１０Ｘの防音範囲を拡大できる。
【００３０】
（２）他の実施の形態
（２−１）上述の実施の形態の場合、吸音部材３０として図５について上述したように楕円筒状の吸音部材３０を用いた場合について述べたが、これに代え、図６に示すように、円筒状の吸音部材３０Ｘを用いるようにしても上述の場合と同様の効果を得ることができる。
【００３１】
（２−２）上述の実施の形態においては、断面多面体構造の反射筒体１１をアルミニウム板材を用いた場合について述べたが、これに限らず、例えば鋼板などの金属板や、合成樹脂材料、木材、竹材などのＳ板状材質のものを用いても上述の場合と同様の効果を得ることができる防音壁１０Ｘを実現できる。
【００３２】
（２−３）上述の実施の形態においては、長尺な断面多面体でなる反射筒体で構成された防音部材１０を長尺部分が横方向に延長するように、上下方向及び左右方向に連接させた場合について述べたが、これに代え図７に示すように、縦方向に延長するように、連接させ、これにより、防音部材１０を別途地面２に設置した支持枠体３５によって支持させるようにしても、上述の場合と同様の効果を得ることができる。
【００３３】
（２−４）上述の実施の形態においては、防音壁１０Ｘを、屋外において、地面２に埋設した支持具３から上方に突出する支柱４に基づいて形成した場合について述べたが、これに代え、支柱４を工場や、音楽室や、衝立壁などの室内の施設として設けるようにしても、上述の実施の形態と同様の作用効果を得ることができる。
【産業上の利用可能性】
【００３４】
本発明は騒音壁を有する騒音装置に利用できる。
【符号の説明】
【００３５】
１……防音装置、２……地面、３……支持具、４……支柱、４Ａ……Ｈ型鋼本体、４Ｂ１、４Ｂ２……フランジ、４Ｃ……取付具、４Ｄ……貫通抑えひも、１０……防音部材、１０Ｘ……防音壁、１１……反射筒体、１１Ａ〜１１Ｆ……曲折板部、１２……反射開口、２５……騒音、３０……吸音部材。
【図１】
2018066787.tif 000003
【図２】
2018066787.tif 000004
【図３】
2018066787.tif 000005
【図４】
2018066787.tif 000006
【図５】
2018066787.tif 000007
【図６】
2018066787.tif 000008
【図７】
2018066787.tif 000009